(57)【要約】【課題】端子の平型導体への接圧を効果的に得ることのできる平型導体用電気コネクタを提供することを課題とする。【解決手段】端子２０は、下腕部２１、上腕部２２そして連結部２３を有し、下腕部２１は、底壁１１の上面に接して該底壁で固定保持される固定腕部２４と、連結部２３より後方位置で該固定腕部から延びる可撓な二つの接触腕部を有し、該二つの接触腕部は前後方向で異なる位置に前方接触腕部２５と後方接触腕部２６が形成され、前方接触腕に前方接触部２５Ａが、後方接触腕部に後方接触部２６Ａが設けられ、上腕部２２は、連結部２３より後方位置で上記前方接触部と後方接触部に対して平型導体を押圧する押圧部が形成された押圧腕部２７と、連結部より前方位置で可動部材により上方へ向け圧せられる被圧部が形成された被圧腕部２８を有し、上記下腕部２１と上腕部２２を連結する上記連結部は、下腕部から上腕部へ向け後方に傾いて延びている。【選択図】図３
2019114354.tif 000002
【特許請求の範囲】
【請求項１】
平型導体の前端域に形成された接続部分を受け入れる受入部が底壁と上壁の間に後方に向け開口して形成されたハウジングと、平坦面をなす金属板製で、該平坦面に直角方向でハウジングにより配列保持されている複数の端子を有し、端子はハウジングの底壁側に位置して該底壁に沿って前後方向に延びる下腕部と、ハウジングの上壁側に位置して該上壁に沿って前後方向に延びる上腕部と、該下腕部と上記上腕部を前後方向の中間位置で連結する連結部とを有し、下腕部が、平型導体の接続部分と接触するための接触部を有し、上腕部が、平型導体を上記下腕部へ向け押圧するように変位する押圧部を連結部より後方位置に有しているとともに該押圧部に下方へ向けた変位をもたらすために連結部よりも前方で上記上腕部に対し上方に向けた変位をもたらす可動部材と係合して上方へ圧せられる被圧部を有している平型導体用電気コネクタにおいて、
下腕部は、底壁の上面に接して該底壁で固定保持される固定腕部と、連結部より後方位置で該固定腕部から延びる可撓な二つの接触腕部を有し、該二つの接触腕部は前後方向で異なる位置に前方接触腕部と後方接触腕部が形成され、前方接触腕に前方接触部が、後方接触腕部に後方接触部が設けられ、
上腕部は、連結部より後方位置で上記前方接触部と後方接触部に対して平型導体を押圧する押圧部が形成された押圧腕部と、連結部より前方位置で可動部材により上方へ向け圧せられる被圧部が形成された被圧腕部を有し、
上記下腕部と上腕部を連結する上記連結部は、下腕部から上腕部へ向け後方に傾いて延びていることを特徴とする平型導体用電気コネクタ。
【請求項２】
前方接腕触部と後方接触腕部は前後方向で異なる位置から互いに接近する方向に延び、前方接触腕の後端に前方接触部が、後方接触腕部の前端に後方接触部が設けられていることとする請求項１に記載の平型導体用電気コネクタ。
【請求項３】
上腕部の押圧腕部は、連結部の位置から後方へ向け並行して延びる上方押圧腕部と下方押圧腕部とで形成され、上方押圧腕部が下方押圧腕部よりも長く、上方押圧腕部の後端に後方押圧部がそして下方押圧腕部の後端に前方押圧部が設けられていることとする請求項１または請求項２に記載の平型導体用電気コネクタ。
【請求項４】
上腕部の押圧腕部は、前後方向で、上方押圧腕部の後方押圧部が下腕部の後方接触腕部に形成された後方接触部と同一位置に、下方押圧腕部の前方押圧部が下腕部の前方接触腕部の前方接触部と同一位置にあることとする請求項１ないし請求項３のうちの一つに記載の平型導体用電気コネクタ。
【発明の詳細な説明】
【技術分野】
【０００１】
本発明は、回路基板の実装面上に配されて平型導体が接続される平型導体用電気コネクタに関する。
【背景技術】
【０００２】
この種の電気コネクタは、例えば、特許文献１の図７に開示されており、端子が下腕部と、該下腕部に連結部で連結された上腕部とを有し、下腕部がハウジング底壁で固定保持される固定腕部と、該固定腕部の異なる二位置から互いに近接する方向に延びて独立して撓み変位可能な前方接触腕部と後方接触腕部を有していて、前方接触腕部の後端に前方接触部がそして後方接触腕部の前端に後方接触部が設けられていて、前方接触部と後方接触部の位置は前後方向で近接している。上記連結部は、上腕部と下腕部とを連結しており、前後方向に対して直角な方向をなし上下方向に延びる腕部として形成されている。
【０００３】
一方、上腕部は、連結部より後方を押圧腕部そして前方を被圧腕部としていて、被圧腕部の前端に形成された被圧部で係合する回動可能な可動部材の操作により該被圧腕部の前端がもち上げられ、中間位置の連結部を支点として押圧腕部が下方に撓み、該押圧腕部の後端に形成された押圧部が下方に変位して平型導体を上記前方接触部と後方接触部に対し圧するようになっている。
【０００４】
したがって、平型導体は、互いに独立して弾性変位する前方接触部と後方接触腕部にそれぞれ設けられ互いに近接する前方接触部と後方接触部の二箇所で接触するようになり、接触が確実に行われる。
【先行技術文献】
【特許文献】
【０００５】
【特許文献１】特許第４９９３７８８号
【発明の概要】
【発明が解決しようとする課題】
【０００６】
この種のコネクタでは、前後方向に延びる前方接触腕部と後方接触腕部とが、前後方向で、隣接して位置しているものの、独立して弾性変位可能とするように、異なる位置にあり、全体として前後に長い端子となる。また、前方接触腕部の前方接触部と後方接触腕部の後方接触部は、前後方向で近接しているように設けられているので、これらの接触部は、連結部の位置から端子後端位置までの距離の中間に位置することとなる。したがって、連結部より後方に位置する上腕部の押圧腕部は、前後方向で、連結部の位置から上記中間位置、すなわち上記前方接触部と後方接触部の両者に近い位置まで延びる腕長となる。この押圧腕部は、その押圧部で平型導体を押圧するように弾性変位する関係上、一定の腕長が要求される。その結果、連結部より前方に位置する被圧腕部の腕長が短くなる。この被圧腕部の腕長が短くなるということは、被圧腕部の剛性が高まるということであり、これは、被圧部を上方にもち上げるのに、可動部材を大きな力で操作しなければならないということであり、一方、この力を低い値に抑えると押圧腕部を下方に弾性変位させるため押圧腕部へ伝えるモーメントが小さくなってしまうということでもある。さりとて、連結部の位置を後方に移動して設定すると、上記押圧腕部の腕長とほぼ同じ前方接触腕部の腕長が短くなってしまい、該前方接触腕部は弾性変位しにくくなる。
【０００７】
本発明は、かかる事情に鑑み、前方接触腕部の腕長を大きくして弾性変位量を増大させるとともに、押圧腕部の弾性変位量を確保あるいは少しでも増大させることのできる端子を有する平型導体用電気コネクタを提供することを課題とする。
【課題を解決するための手段】
【０００８】
本発明に係る平型導体用電気コネクタは、平型導体の前端域に形成された接続部分を受け入れる受入部が底壁と上壁の間に後方に向け開口して形成されたハウジングと、平坦面をなす金属板製で、該平坦面に直角方向でハウジングにより配列保持されている複数の端子を有し、端子はハウジングの底壁側に位置して該底壁に沿って前後方向に延びる下腕部と、ハウジングの上壁側に位置して該上壁に沿って前後方向に延びる上腕部と、該下腕部と上記上腕部を前後方向の中間位置で連結する連結部とを有し、下腕部が、平型導体の接続部分と接触するための接触部を有し、上腕部が、平型導体を上記下腕部へ向け押圧するように変位する押圧部を連結部より後方位置に有しているとともに該押圧部に下方へ向けた変位をもたらすために連結部よりも前方で上記上腕部に対し上方に向けた変位をもたらす可動部材と係合して上方へ圧せられる被圧部を有している。
【０００９】
かかる平型導体用電気コネクタにおいて、本発明では、下腕部は、底壁の上面に接して該底壁で固定保持される固定腕部と、連結部より後方位置で該固定腕部から延びる可撓な二つの接触腕部を有し、該二つの接触腕部は前後方向で異なる位置に前方接触腕部と後方接触腕部が形成され、前方接触腕に前方接触部が、後方接触腕部に後方接触部が設けられ、
上腕部は、連結部より後方位置で上記前方接触部と後方接触部に対して平型導体を押圧する押圧部が形成された押圧腕部と、連結部より前方位置で可動部材により上方へ向け圧せられる被圧部が形成された被圧腕部を有し、
上記下腕部と上腕部を連結する上記連結部は、下腕部から上腕部へ向け後方に傾いて延びていることを特徴としている。
【００１０】
このように構成される本発明では、端子の連結部が下腕部から上腕部へ向け後方に傾いて延びているので、下腕部の押圧腕部と上腕部の被圧腕部の少なくとも一方がその腕長を大きくすることができ、両者は、その分、弾性撓みしやすくなる。その結果、押圧腕部の場合そして被圧腕部の場合のいずれの場合においても、可動部材の操作が楽になる。すなわち、押圧腕部の腕長が大きくなると該押圧腕部が撓みやすくなり平型導体を介しての押圧部への反力が小さくなり、可動部材の操作が楽になるし、被圧腕部の腕長が大きくなると、被圧部での可動部材からの操作力にもとづく押圧腕部に対する連結部まわりのモーメントが大きくなって大きな押圧力が得られるか、押圧力をあまり大きくしなくてもよいかであり、押圧力が小さいときには、操作力が小さくてすむということであり、したがって可動部材の操作が楽になる。さらに、上腕部の押圧腕部に関しては、連結部が上述のように傾いているために、押圧腕部の弾性変位が助長される。
【００１１】
本発明において、前方接触腕部と後方接触腕部は前後方向で異なる位置から互いに接近する方向に延び、前方接触腕の後端に前方接触部が、後方接触腕部の前端に後方接触部が設けられていることができる。
【００１２】
この場合は、前方接触部と後方接触部は前後方向で互いに近接して位置することとなる。
【００１３】
本発明において、上腕部の押圧腕部は、連結部の位置から後方へ向け並行して延びる上方押圧腕部と下方押圧腕部とで形成され、上方押圧腕部が下方押圧腕部よりも長く、上方押圧腕部の後端に後方押圧部がそして下方押圧腕部の後端に前方押圧部が設けられていることができる。
【００１４】
こうすることで、前方押圧部と後方押圧部の二位置での押圧するので、前後方向での押圧範囲が広くなり、一点での集中押圧の場合と比し、均等な押圧となる。
【００１５】
本発明において、上腕部の押圧腕部は、前後方向で、上方押圧腕部の後方押圧部が下腕部の後方接触腕部に形成された後方接触部と同一位置に、そして、下方押圧腕部の前方押圧部が下腕部の前方接触腕部の前方接触部と同一位置にあるようにすることができる。
【００１６】
こうすることで、二つの押圧部が二つの接触部とそれぞれ対応した位置で押圧するので、平型導体を強く挟圧して接圧が大きくなる。
【発明の効果】
【００１７】
以上のように、端子の上腕部と下腕部とを連結する連結部を、下端部から上腕部に向け後方へ傾いて延びるようにしたので、コネクタの前後方向での長さを従来に比し大きくすることなく、連結部より前方に位置する上腕部の被圧腕部そして連結部より後方に位置する下腕部の前方接触腕部の少なくとも一方の腕長を大きく設定することができていずれも弾性変位しやすくなり、被圧部での可動部材の操作が楽になる。
【図面の簡単な説明】
【００１８】
【図１】本発明の一実施形態に係る平型導体用電気コネクタの全体を示す斜視図であり、平型導体が未挿入で、可動部材が開位置にある状態を示している。
【図２】図１のコネクタに平型導体が挿入された後に、可動部材が閉位置にもたらされた状態の斜視図である。
【図３】図１のコネクタの端子位置での断面図であり、（Ａ）は平型導体挿入前で可動部材が開位置、（Ｂ）は平型導体挿入完了時で可動部材が開位置、（Ｃ）は平型導体挿入完了後、可動部材が閉位置にある状態を示している。
【発明を実施するための形態】
【００１９】
以下、添付図面にもとづき、本発明の一実施形態を説明する。
【００２０】
図１及び図２は、本実施形態に係る平型導体用電気コネクタの全体を示す斜視図であり、図１は平型導体が未挿入で可動部材が開位置にある状態、図２は平型導体挿入完了後で可動部材が閉位置にある状態を示している。また、図３は、図１のコネクタの端子配列方向での端子の位置における縦断面を示す断面図であり、（Ａ）は平型導体挿入前で可動部材が開位置にある状態、（Ｂ）は平型導体挿入後、可動部材が開位置にある状態、（Ｃ）は平型導体挿入後で可動部材が閉位置にある状態を示している。
【００２１】
本実施形態に係る平型導体用電気コネクタ１（以下、単に「コネクタ１」という）は、回路基板（図示せず）上に配置されるとともに、例えばＦＰＣなどの平型導体Ｆの接続部分が前方（図１〜３における右方）へ向けて挿入されて、該平型導体Ｆと回路基板とを電気的に接続させるためのコネクタである。なお、図１〜３において、平型導体Ｆの挿抜方向となる方向を前後方向Ｘ、端子配列方向（コネクタ幅方向）をＹ、高さ方向をＺとして図示することにする。
【００２２】
コネクタ１は、図１に見られるように、略直方体外形をなし電気絶縁材製、例えば合成樹脂製のハウジング１０と、該ハウジング１０にコネクタ幅方向Ｙで等間隔に配列保持される金属製の複数の端子２０と、該ハウジング１０および複数の端子２０によって回動可能に支持される電気絶縁材製、例えば合成樹脂製の可動部材３０と、該ハウジング１０の端子配列方向Ｙの両端部で該ハウジング１０に保持される金属板製の固定金具４０を有している。
【００２３】
また、図１〜３に示される平型導体Ｆは、本実施形態の場合、コネクタ１に挿入された際に、端子配列方向Ｙ（図１，２において左右方向、図３において紙面に直角な方向）において複数の端子２０とそれぞれ対応した位置に、該端子２０と接続される対応回路部が下面に形成されている。
【００２４】
図１および図２に見られるように、ハウジング１０は、前後方向Ｘでハウジング１０の全域にわたる底壁１１と、該底壁１１の上方に位置し前後方向での中間域に位置する上壁１２と、端子配列方向Ｙ（平型導体の幅方向に相当する方向であって、図１，２では左右方向、図３では紙面に直角方向）でハウジング１０の両端位置にて底壁１１から上下方向Ｚで上方に延びる側壁１３（図２には図示せず）とを備えている。該ハウジング１０には、端子２０を保持するための端子溝１４が該ハウジング１０の端子配列方向Ｙに等間隔で前後に延びて形成されている。該ハウジング１０は、端子配列範囲にて後部が上方に開放して切り欠かれた開放空間を形成している。
【００２５】
図３に示されているように、上記端子溝１４は、ハウジング１０の底壁１１と上壁１２に沿って前後方向Ｘに延びていて、紙面に平行な方向に延びたスリット状に形成されている。端子溝１４は、底壁１１の後端位置に形成された後壁部１１Ａに後方へ貫通して後述する端子２０の後方被保持部２４Ａを保持するための保持孔部１１Ａ−１が形成されている。また、底壁１１には、その前端が肉薄となって保持縁部１１Ｂが形成されていて、後述の端子２０の鉤状の前方被保持部２４Ｂを保持するようになっている。かくして、該端子溝１４は前後方向でコネクタ１のほぼ全長にわたり前後方向Ｘに延びている。また、上記後壁部１１Ａの上面には、コネクタ幅方向の両端位置に、平型導体Ｆの係止凸片Ｆ１に係止して該平型導体Ｆの後方への抜けを阻止する係止突起１１Ｃが設けられている。
【００２６】
図１及び図２に見られるように、側壁１３は、固定金具４０を保持するためのスリット状の固定金具保持溝１３Ｂが、該側壁１３の後方側位置にて後方に開口して形成されている。
【００２７】
図３に見られるように、ハウジング１０の上記上壁１２の後方となる後半部は、上壁１２が存在していないので、既述したように、端子配列範囲にわたって連通し上方に開放された開放空間が形成されており、該開放空間の下部は、後方から平型導体Ｆを受け入れるための受入部１５をなしている。該受入部１５より前方には、底壁１１と上壁１２間で、平型導体Ｆの前部となる接続部分を挿入するための平型導体挿入溝１６が前後方向Ｘで上記上壁１２の中間位置まで延び形成されている。該平型導体挿入溝１６は、平型導体Ｆの幅（端子配列方向Ｙでの寸法）にわたり形成されているので、図３では、紙面に直角方向（端子配列方向Ｙ）で複数の端子溝１４を貫いていて該端子溝１４を上下方向Ｚで二つの溝部分に分断している。一方、ハウジング１０の前部には、両方の側壁１３の間の範囲で、上方そして前方に開放された開放空間が形成されていてこの開放空間は、開位置と閉位置との間での可動部材３０の移動を許容する可動部材移動空間１７をなしている。
【００２８】
図３に見られるように、端子２０は、金属板の平坦面を維持して、例えば打抜き加工により作られており、板面に直角な方向を端子配列方向Ｙとしてハウジング１０に配列されている。該端子２０は、平型導体の挿入方向と逆の方向（抜出方向）、すなわち、図３にて左方に向けハウジング１０の端子溝１４に挿入されて取り付けられる。
【００２９】
図３に示されているように、端子２０は、端子溝１４内の下部（上記平型導体挿入溝１６で上下に分断された端子溝１４の下側の溝部分）にて上記ハウジング１０の底壁１１に沿って前後方向Ｘに延びる腕状の下腕部２１と、端子溝１４内の上部（上記平型導体Ｆ挿入溝に対して上側に位置する溝部分）にて上記ハウジング１０の上壁１２に沿って前後方向Ｘに延びる上腕部２２と、下腕部２１と上腕部２２のとを連結する連結部２３とを有している。該連結部２３は下腕部２１と上腕部２２とを前後方向Ｘの中間位置で連結する腕状に形成され、後述のように傾斜して延びている。
【００３０】
上記下腕部２１は、ハウジング１０の底壁１１の上面に接して該底壁１１で固定保持される固定腕部２４と、上記連結部２３より後方位置で該固定腕部２４から延びる可撓な二つの接触腕部を有し、該二つの接触腕部には前後方向で異なる位置に突部状の前方接触腕部２５と後方接触腕部２６が形成され、前方接触腕２５は連結部２３の直後方位置から後方に延び後端に前方接触部２５Ａが端子溝１４の下部に収まるように設けられ、後方接触腕部２６は固定腕部２４の後端寄り位置から前方に延びその前端に後方接触部２６Ａが端子溝１４の下部に収まるように設けられている。
【００３１】
上記前方接触腕部２５と後方接触腕部２６は、上述したように端子溝１４の下部に収められているが、それらの前方接触部２５Ａと後方接触部２６Ａは上方に向く突部をなしていて上記端子溝１４外にあり平型導体挿入溝１６へ進入して位置している。本実施形態では、図３に見られるように、前方接触腕部２５および後方接触腕部２６は、上下方向Ｚにて、ほぼ同一位置、すなわちほぼ同一の高さ位置に設けられている。また、固定腕部２４の後端部からは、ハウジング１０に形成された保持孔部１１Ａ−１で保持されるための後方被保持部２４Ａが後方へ突出して形成されており、前端部からは下方そして後方へ向け屈曲された鉤状の前方被保持部２４Ｂが設けられている。また、該前方被保持部２４Ｂの下端縁は回路基板に半田接続される接続部２４Ｂ−１を形成している。
【００３２】
上腕部２２は、連結部２３より後方位置で平型導体Ｆを押圧する押圧部が形成された押圧腕部２７と、連結部２３より前方位置で可動部材３０により上方へ向け圧せられる被圧部２８Ａが凹弯曲状に形成された被圧腕部２８を有している。上記下腕部２１と上腕部２２を連結する上記連結部２３は、下腕部２１から上腕部２２へ向け後方に傾いて延びている。
【００３３】
上腕部２２の押圧腕部２７は、連結部２３の位置から前後方向Ｘで後方へ向け並行して延びる上方押圧腕部２７Ａと下方押圧腕部２７Ｂとで形成され、上方押圧腕部２７Ａが下方押圧腕部２７Ｂよりも長く、上方押圧腕部２７Ａの後端に後方押圧部２７Ａ−１がそして下方押圧腕部２７Ｂの後端に前方押圧部２７Ｂ−１が設けられている。
【００３４】
上腕部２２の押圧腕部２７は、前後方向Ｘで、上方押圧腕部２７Ａの後方押圧部２７Ａ−１が下腕部２１の後方接触腕部２６に形成された後方接触部２６Ａと同一位置に、下方押圧腕部２７Ｂの前方押圧部２７Ｂ−１が下腕部２１の前方接触腕部２５の前方接触部２５Ａと同一位置にある。
【００３５】
可動部材３０は、平型導体Ｆを端子２０の前方接触部２５Ａおよび後方接触部２６Ａへ向けて下方に圧する加圧手段として機能する。該可動部材３０は、図３（Ａ），（Ｂ）に示されるように上下方向に延びた姿勢で平型導体Ｆの挿入を可能にする開位置と、図３（Ｃ）に示されるような前後方向に延びた姿勢で端子２０の前方接触部２５Ａおよび後方接触部２６Ａに対する平型導体Ｆの接圧を高める閉位置との間で回動操作可能となっている。
【００３６】
可動部材３０は、図１及び図２によく見られるように、端子配列方向Ｙで端子２０の配列範囲にわたる幅で形成されている。該可動部材３０は、図１（Ａ）、図２、図３（Ａ），（Ｂ），（Ｃ）に示されているように、端子配列方向Ｙで端子２０に対応した位置にて、端子２０の板厚寸法よりも若干広い溝幅のスリット状をなす溝部３１が上記開位置での略下半部に形成されている。したがって、図１によく見られるように、可動部材３０の略下半部は、前後方向Ｘで見たときに端子配列範囲で櫛歯状となっている。図３（Ａ），（Ｂ）に示されているように、該溝部３１は端子２０の被圧腕部２８の前方からの進入を許容している。
【００３７】
上記溝部３１には、図３（Ａ），（Ｂ）に示されているように、開位置にあるときの該可動部材３０の下端部寄り位置にカム部３２が島状に設けられていて、該カム部３２によって溝部３１の対向壁面同士が連結されている。該カム部３２は断面形状が円形の軸部３２Ａと腕状の被支部３２Ｂとを有している。
【００３８】
また、可動部材３０は、端子配列方向Ｙに対して直角に延びる両側端面から突出する端軸部（図示せず）が形成されていてハウジング１０により回動かつ上下方向Ｚでの移動が可能に支持されている。該端軸部は、上記軸部３２Ａと同軸上に位置して形成されている。
【００３９】
また、図３（Ｂ）に見られるように、閉位置にある可動部材３０の上記被支部３２Ｂが端子２０の下腕部２１の上縁に支持されて上方への力を受けるようになっている。
【００４０】
固定金具４０は、金属板を打ち抜いて作られており、図１に見られるように、その板面が端子配列方向に対して直角となる姿勢でハウジング１０のスリット状の固定金具保持溝１３Ｂへ後方から取り付けられている。該固定金具４０の下縁部が回路基板と半田接続されることにより、コネクタ１が回路基板上に固定される。
【００４１】
このような構成のコネクタ１は、次のようにして組み立てられる。
【００４２】
先ず、ハウジング１０に対し前方から後方へ向け、すなわち図３における前後方向Ｘで右方から左方へ向け、端子２０を該ハウジング１０の端子溝１４に左方へ向け圧入して取り付ける。この結果、図３（Ａ）に示されるように、上記端子２０は、ハウジング１０の底壁１１に形成された保持孔部１１Ａ−１内へ下腕部２１の後方被保持部２４Ａが圧入されさらには、ハウジング１０の底壁１１の前端での保持縁部１１Ｂで下腕部２１の前方被保持部２４Ｂを保持することにより、該端子溝１４内で保持される。
【００４３】
このようにして端子２０をハウジング１０へ組み込んだ後、可動部材３０を開位置の垂立姿勢に維持したまま、該可動部材３０の端軸部がハウジング１０の端軸収容部内に収容されるように該可動部材３０を可動部材移動空間１７に配置する。この配置により、該可動部材３０は、自重によって、図３（Ａ），（Ｂ）に示されるように該可動部材３０の下端が端子２０の下腕部２１の上縁に当接する位置にもたらされる。可動部材３０の組込みに際して、該可動部材３０のカム部３２は、その軸部３２Ａが端子２０の被圧腕部２８の前端に当接するが、該被圧腕部２８は弾性撓み可能なので、上方に撓んで可動部材３０の組込みを可能とする。
【００４４】
次に、後方から固定金具４０をハウジング１０の固定金具保持溝１３Ｂに圧入して取り付け、コネクタ１の組立てが完了する。
【００４５】
以下、コネクタ１と平型導体Ｆとの接続動作を図３にもとづいて説明する。まず、図３（Ａ）に示されるように、可動部材３０を垂立姿勢の開位置にもたらす。次に、ハウジング１０の受入部１５内へ平型導体Ｆを後方から前方ヘ（図３Ａにて左方から右方へ）向け挿入する。図３（Ｂ）に示されるように、平型導体Ｆは、該平型導体Ｆの前端面が平型導体挿入溝１６の奥部の壁面に当接する正規位置まで挿入される。本実施形態では、可動部材３０を開位置に位置させておくことにより、平型導体Ｆをゼロ挿入力もしくは低挿入力のもとで容易に挿入することができる。
【００４６】
次に、開位置にある可動部材３０を回動させて、図３（Ｃ）に示される閉位置へもたらす。該閉位置において、可動部材３０は、その被支部３２Ｂが縦長姿勢となり端子２０の下腕部２１の上縁に当接かつ圧することで、該下腕部２１からの反力を上方に受けカム部３２が上方へ移動する。この上方への移動により、カム部３２は、その軸部３２Ａが端子２０の上腕部２２の被圧腕部２８の被圧部２８Ａ内で該被圧腕部２８を上方へ撓むよう弾性変位させる。該被圧腕部２８が上方へ弾性変位すると、連結部２３の上端位置を支点として該連結部２３より前方の押圧腕部２７が下方へ弾性変位する。すなわち、上方押圧腕部２７Ａと下方押圧腕部２７Ｂがともに下方へ撓み弾性変位し、後方押圧部２７Ａ−１と前方押圧部２７Ｂ−１が平型導体Ｆを端子２０の前方接触部２５Ａおよび後方接触部２６Ａへ向けて下方に押圧する。したがって、図３（Ｃ）に見られるように、該前方接触部２５Ａおよび後方接触部２６Ａが平型導体Ｆによって下方へ押圧されて変位し、この結果、平型導体Ｆの下面に形成された対応回路部と該前方接触部２５Ａおよび後方接触部２６Ａとの接圧が高められる。以上のように、可動部材３０を閉位置にもたらすことにより、コネクタ１と平型導体Ｆとの接続が完了する。
【００４７】
本実施形態では、前方接触部２５Ａと後方接触部２６Ａとは前後方向Ｘで互いに近接した間隔で位置しているので、該前方接触部２５Ａおよび後方接触部２６Ａにおいて平型導体Ｆとの接圧をほぼ等しくすることができ、接触信頼性を向上させることができるとともに、端子２０は、前後方向Ｘで上記間隔の範囲で平型導体Ｆを押圧するので、押圧範囲が上記間隔の分だけ広がり、平型導体Ｆと端子２０との接触が安定する。
【００４８】
このように、本実施形態では、端子２０の上記下腕部２１と上腕部２２を連結する上記連結部２３は、連結部２３が下腕部２１から上腕部２２へ向け後方に傾いて延びているので、下腕部２１の押圧腕部２７と上腕部２２の被圧腕部２８の少なくとも一方がその腕長を大きくすることができ、両者は、その分、弾性撓みしやすくなる。その結果、押圧腕部２７の場合そして被圧腕部２８の場合のいずれの場合においても、可動部材３０の操作が楽になる。すなわち、押圧腕部２７の腕長が大きくなると該押圧腕部２７が撓みやすくなり平型導体を介しての押圧部２９Ａ−１，２９Ｂ−１への反力が小さくなり、可動部材３０の操作が楽になるし、被圧腕部２８の腕長が大きくなると、被圧部２８Ａでの可動部材からの操作力にもとづく押圧腕部２８に対する連結部２３まわりのモーメントが大きくなって大きな押圧力が得られるか、押圧力をあまり大きくしなくてもよいかであり、押圧力が小さいときには、操作力が小さくてすむということであり、したがって可動部材３０の操作が楽になる。さらに、上腕部２２の押圧腕部２７に関しては、連結部が上述のように傾いているために、押圧腕部２７の弾性変位が助長される。
【００４９】
本発明は、図示されそして説明された形態に限定されず、種々の変形が可能である。例えば、前後方向の異なる二位置で、図３（Ａ）に示されている下腕部２１から延びる前方接触腕部２５と後方接触腕部２６は、互いに対向する方向に延びていることを要せず、同方向に延びていてもよい。
【００５０】
また、上腕部２２の押圧腕部２７は、図３（Ａ）に見られるように並行な上方押圧腕部２７Ａと下方押圧腕部２７Ｂとして二つの腕部としなくとも、一つの腕部として形成してもよい。
【符号の説明】
【００５１】
１  コネクタ                            ２４  固定腕部
１０  ハウジング                        ２５  前方接触腕部
１１  底壁                              ２５Ａ  前方接触部
１２  上壁                              ２６  後方接触部
１３  受入部                            ２６Ａ  後方接触部
２０  端子                              ２７  押圧腕部
２１  下腕部                            ２７Ａ−１，２７Ｂ−１  押圧部
２２  上腕部                            ２８  被圧腕部
２３  連結部                            Ｆ  平型導体
【図１】
2019114354.tif 000003
【図２】
2019114354.tif 000004
【図３】
2019114354.tif 000005